【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  ヒドロキシル化湿潤剤、キレート剤、乳化剤およびクラウンエーテルを含有する組成物。
【請求項２】  前記ヒドロキシル化湿潤剤、約１０重量％から約６０重量％；
前記キレート剤、約２０重量％から約４０重量％；
前記乳化剤、約１重量％から約４５重量％；および
前記クラウンエーテル、約０．０１重量％から約２重量％を含有し、
これらの重量％の値が前記組成物の全体重量に基づいている請求項１に記載の組成物。
【請求項３】  前記ヒドロキシル化湿潤剤、約３０重量％から約５０重量％；
前記キレート剤、約２５重量％から約３５重量％；
前記乳化剤、約１５重量％から約３５重量％；および
前記クラウンエーテル、約０．０５重量％から約１．２５重量％を含有し、
これらの重量％の値が前記組成物の全体重量に基づいている請求項２に記載の組成物。
【請求項４】  前記ヒドロキシル化湿潤剤、約３８重量％から約４２重量％；
前記キレート剤、約２９重量％から約３１重量％；
前記乳化剤、約２０重量％から約３０重量％；および
前記クラウンエーテル、約０．５重量％から約１重量％を含有し、
これらの重量％の値が前記組成物の全体重量に基づいている請求項３に記載の組成物。
【請求項５】  前記ヒドロキシル化湿潤剤が２から６の炭素原子と、２から４のヒドロキシル基を含むヒドロキシル化炭化水素である請求項１に記載の組成物。
【請求項６】  前記ヒドロキシル基に対する前記炭素原子の比が１．０から０．７５である請求項５に記載の組成物。
【請求項７】  前記ヒドロキシル化湿潤剤が、ポリプロピレン、ポリエチレン、グリセリン、エチレングリコールおよびプロピレングリコールからなる群から選ばれる少なくとも１つである請求項１に記載の組成物。
【請求項８】  前記キレート剤がＥＤＴＡの誘導体である請求項１に記載の組成物。
【請求項９】  前記乳化剤が非イオン表面活性剤である請求項１に記載の組成物。
【請求項１０】  前記クラウンエーテルが、Ｃ８−Ｃ３０クラウンエーテルである請求項１に記載の組成物。
【請求項１１】  前記クラウンエーテルが、Ｃ１０−Ｃ２０クラウンエーテルである請求項１０に記載の組成物。
【請求項１２】  前記クラウンエーテルが、Ｃ１３−Ｃ１９クラウンエーテルである請求項１１に記載の組成物。
【請求項１３】  さらに、水溶性有機溶剤と非シリコンベース泡止め剤とを含有する請求項１に記載の組成物。
【請求項１４】  前記水溶性有機溶剤がイソプロパノールであり、前記泡止め剤がエトキシル化直鎖アルコールである請求項１３に記載の組成物。
【請求項１５】  前記組成が１００％生物分解性である請求項１に記載の組成物。
【請求項１６】  前記組成物がガスタービンに適用されると前記組成物が３５マイクロメータ以下の粒子サイズを有する粒子を除去する請求項１に記載の組成物。
【請求項１７】  ヒドロキシル化湿潤剤、キレート剤および乳化剤を含有する組成物。
【請求項１８】  基体を洗浄する方法において、
請求項１による組成物を準備し、
前記基体を洗浄するのに十分な時間、前記組成物を前記基体に接触させることを包含する基体洗浄方法。
【請求項１９】  前記基体がガスタービンエンジンである請求項１８に記載の方法。
【請求項２０】  さらに非芳香族溶剤を含有する請求項１に記載の組成物。
【請求項２１】  前記ヒドロキシル化湿潤剤、約１０重量％から約６０重量％；
前記キレート剤、約１重量％から約３０重量％；
前記乳化剤、約１重量％から約４５重量％；
前記クラウンエーテル、約０．０１重量％から約２重量％；および
前記非芳香族溶剤、約１重量％から約２０重量％を含有し、
これらの重量％の値が前記組成物の全体重量に基づいている請求項２０に記載の組成物。
【請求項２２】  前記ヒドロキシル化湿潤剤、約３０重量％から約５０重量％；
前記キレート剤、約１５重量％から約２５重量％；
前記乳化剤、約１５重量％から約３５重量％；
前記クラウンエーテル、約０．０５重量％から約１．２５重量％；および
前記非芳香族溶剤、約５重量％から約１５重量％を含有し、
これらの重量％の値が前記組成物の全体重量に基づいている請求項２１に記載の組成物。
【請求項２３】  前記ヒドロキシル化湿潤剤、約３８重量％から約４２重量％；
前記キレート剤、約１９重量％から約２１重量％；
前記乳化剤、約２０重量％から約３０重量％；
前記クラウンエーテル、約０．５重量％から約１重量％；および
前記非芳香族溶剤、約９重量％から約１１重量％を含有し、
これらの重量％の値が前記組成物の全体重量に基づいている請求項２２に記載の組成物。
【請求項２４】  前記非芳香族溶剤が、（１）１から６の炭素と１から５のエトキシル基を有する直鎖または非直鎖アルコール、（２）一、二または三カルボキシル酸の一、二または三エステル、および（３）一、二または三アルキルエステルからなる群から選ばれる請求項２０に記載の組成物。
【請求項２５】  前記非芳香族溶剤が、メチルエステル、エチルエステル、エチルアセテート、メチルラウレート、ジメチルクエン酸、エチルプロピオネート、ラウリルアセテート、メチルグルタメート、ジエトキシル−２−エチルプロピルアルコール、ジエトキシルペンチルアルコール、トリエトキシルペンチルアルコールおよびジエトキシル化イソブチルアルコールからなる群から選ばれる請求項２４に記載の組成物。
【請求項２６】  前記前記非芳香族溶剤が、エトキシル化非直鎖アルコールまたは有機エステルである請求項２４に記載の組成物。
【請求項２７】  前記エトキシル化非直鎖アルコールがジエトキシル化イソブチルアルコールであり、前記有機エステルがメチルラウレートである請求項２６に記載の組成物。
【手続補正２】
【補正対象書類名】明細書
【補正対象項目名】０００１
【補正方法】変更
【補正の内容】
【０００１】
発明の背景
１．発明の技術分野
本発明は、ガスタービンブレード用の化学洗浄液に関する。特に、本発明は、ヒドロキシル化湿潤剤、キレート剤、乳化剤、任意のクラウンエーテル、および任意の非芳香族溶剤を含有する洗浄組成物に関する。
【手続補正３】
【補正対象書類名】明細書
【補正対象項目名】０００２
【補正方法】変更
【補正の内容】
【０００２】
２．従来技術の説明
工業用ガスタービンエンジンは世界的に使用されている。ガスタービンの例として、ソラータービンインコーポレーテッドにより製造されたマーズガスタービンやタウラス７０ガスタービンがある。マーズガスタービンは、１５段コンプレッサを有し、各段は固定ブレード列（固定ブレード）と回転ブレード列とを備える。ブレードは１段で最も大きく、１５段で最も小さい。運転中、空気はコンプレッサの拡散通路に引き込まれ、各段を通過して圧縮される。
【手続補正４】
【補正対象書類名】明細書
【補正対象項目名】０００３
【補正方法】変更
【補正の内容】
【０００３】
固定ブレードは、各段において圧縮空気を対向する回転ブレード列を横切るように導く。固定ブレードと回転ブレードの翼は、最大効率を生じるように設計されている。しかしながら、連続運転の結果、翼の前縁に汚染物質が形成される。このため全体効率が圧縮部で失損する。これにより、消費者での使用に利用可能な馬力が減少する。マーズタービンエンジンは、最大定格馬力で毎秒約９０ポンドの空気を圧縮する。標準立方フィートの空気当たりの空媒汚染物質はわずかである。しかしながら、大量の空気がタービンを通過すると、汚染物質は増加する。さらに、空気が室温でタービンに進入し、約６３０°Ｆでコンプレッサを離れる。損失効率の大部分は、最初の３段または４段で生じ、一旦汚染物質がタービンブレードに付着すると、ブレードの洗浄が非常に困難である。
【手続補正５】
【補正対象書類名】明細書
【補正対象項目名】０００６
【補正方法】変更
【補正の内容】
【０００６】
しかしながら、現在の洗浄製品はいくつかの欠点を有している。これらの欠点には、過剰な泡立ち、長い浸漬時間（soaking  periods）、低い水溶性、クリーナ残留、３５マイクロメータ以下の付着粒子の除去不足、１００％生物分解性の欠如がある。最近の製品はこれらの欠点をいくつか解消しているが、全ての欠点を解消することはできない。環境安全という現在の風潮に照らすと、１００％生物分解性を有する製品が重要である。最近の製品は生物分解性を有するが、１００％生物分解性ではない。さらに、最近の水ベース（water−based）の製品は、３５マイクロメータ以下の粒子サイズを有する付着粒子を除去することができない。このようなタイプの粒子は、あるタイプの溶剤ベースの化学品を使用しない限り、除去することはできない。したがって、水ベースで、３５マイクロメータ以下の粒子を除去することができる洗浄液はない。
【手続補正６】
【補正対象書類名】明細書
【補正対象項目名】０００７
【補正方法】変更
【補正の内容】
【０００７】
発明の概要
したがって、本発明は、１００％生物分解性を有し、水ベースで、３５マイクロメータ以下の粒子サイズを有する付着粒子を除去することができ、前述の全ての欠点を解消するガスタービンクリーナに向けられている。
【手続補正７】
【補正対象書類名】明細書
【補正対象項目名】０００８
【補正方法】変更
【補正の内容】
【０００８】
ある実施形態では、本発明は、ヒドロキシル化湿潤剤、キレート剤、乳化剤およびクラウンエーテルを含有する組成物に関する。本発明のある実施形態では、組成物は、（１）約１０から約６０重量％、好ましくは約３０から約５０重量％、さらに好ましくは約３８から約４２重量％のヒドロキシル化湿潤剤と、（２）約２０から約４０重量％、好ましくは約２５から約３５重量％、さらに好ましくは約２９から約３１重量％のキレート剤と、（３）約１から約４５重量％、好ましくは約１５から約３５重量％、さらに好ましくは約２０から約３０重量％の乳化剤と、（４）約０．０１から約２重量％、好ましくは約０．０５から１．２５重量％、さらに好ましくは約０．５から約１重量％のクラウンエーテルとを含有する。これらの重量％の値は組成物の全体重量に基づいている。
【手続補正８】
【補正対象書類名】明細書
【補正対象項目名】０００９
【補正方法】変更
【補正の内容】
【０００９】
本発明の他の実施形態では、組成物は、ヒドロキシル化湿潤剤、キレート剤および乳化剤を含有する。この本発明の実施形態からは、クラウンエーテルが除かれている。
【手続補正９】
【補正対象書類名】明細書
【補正対象項目名】００１０
【補正方法】変更
【補正の内容】
【００１０】
他の実施形態では、本発明の組成物は、ヒドロキシル化湿潤剤、キレート剤、乳化剤、クラウンエーテルおよび非芳香族溶剤を含有する。この実施形態では、組成物は、（１）約１０から約６０重量％、好ましくは約３０から約５０重量％、さらに好ましくは約３８から約４２重量％のヒドロキシル化湿潤剤と、（２）約１から約３０重量％、好ましくは約１５から約２５重量％、さらに好ましくは約１９から約２１重量％のキレート剤と、（３）約１から約４５重量％、好ましくは約１５から約３５重量％、さらに好ましくは約２０から約３０重量％の乳化剤と、（４）約０．０１から約２重量％、好ましくは約０．０５から約１．２５重量％、さらに好ましくは約０．５から約１重量％のクラウンエーテルと、（５）約１から約２０重量％、好ましくは約５から約１５重量％、さらに好ましくは約９から約１１重量％の非芳香族溶剤とを含有する。これらの重量％の値は組成物の全体重量に基づいている。
【手続補正１０】
【補正対象書類名】明細書
【補正対象項目名】００１１
【補正方法】変更
【補正の内容】
【００１１】
さらに他の実施形態では、組成物は、ヒドロキシル化湿潤剤、キレート剤、乳化剤および非芳香族溶剤を含有する。この本発明の実施形態からは、クラウンエーテルが除かれている。
【手続補正１１】
【補正対象書類名】明細書
【補正対象項目名】００１５
【補正方法】変更
【補正の内容】
【００１５】
さらに他の実施形態では、前記非芳香族溶剤は、１から６の炭素と１から５のエトキシル基を有する直鎖または非直鎖アルコール；一、二または三カルボキシル酸の一、二または三エステル；または一、二または三アルキルエステルである。特定の例としては、メチルエステル、エチルエステル、エチルアセテート、メチルラウレート、ジメチルクエン酸、エチルプロピオネート、ラウリルアセテート、メチルグルタメート、ジエトキシル−２−エチルプロピルアルコール、ジエトキシルペンチルアルコール、トリエトキシルペンチルアルコールおよびジエトキシル化イソブチルアルコールを含む。好ましい実施形態では、非芳香族溶剤は、ジエトキシル化イソブチルアルコール、Ｃ８Ｈ１９Ｏ２のようなエトキシル化非直鎖アルコール、またはメチルラウレートのような有機エステルである。
【手続補正１２】
【補正対象書類名】明細書
【補正対象項目名】００１６
【補正方法】変更
【補正の内容】
【００１６】
本発明の組成物は、オプションとして水溶性有機溶剤と非シリコンベース泡止め剤を含む。水溶性有機溶剤はイソプロパノールであり、泡止め剤はエトキシル化直鎖アルコールである。本発明はさらに、ガスタービンのような基体を洗浄する方法を提供している。この方法は、本発明による組成物を準備し、該組成物を洗浄すべき基体に接触させることを含む。洗浄組成物と基体が接触する時間は所望の洗浄度合いに依存する。換言すれば、基体が汚れていればいるほど、接触時間は長くなる。
【手続補正１３】
【補正対象書類名】明細書
【補正対象項目名】００１８
【補正方法】変更
【補正の内容】
【００１８】
本発明は、ガスタービンクリーナに向けられている。特に、本発明のクリーナは組成物（composition）として説明されている。この組成物は、１００％生物分解性を有し、水ベースで、３５マイクロメータ以下の粒子を除去することができる。本発明の組成物は、ヒドロキシル化湿潤剤、キレート剤、乳化剤、および任意のクラウンエーテルを含有する。この組成物は、さらに添加物を有していてもよい。
【手続補正１４】
【補正対象書類名】明細書
【補正対象項目名】００１９
【補正方法】変更
【補正の内容】
【００１９】
本発明は、さらに、本発明による洗浄液を準備し、該洗浄液を洗浄すべき基体に接触させることを包含する基体洗浄方法に向けられている。
【手続補正１５】
【補正対象書類名】明細書
【補正対象項目名】００２３
【補正方法】変更
【補正の内容】
【００２３】
本発明によるヒドロキシル化湿潤剤は、組成物の全体重量に対し約１０から約６０重量％、好ましくは約３０から約５０重量％、さらに好ましくは約３８から約４２重量％の量で存在する。ヒドロキシル化湿潤剤は、最も好ましくは、組成物の全体重量に対し約４０重量％の量で存在する。ヒドロキシル化湿潤剤に対する重量％量は、ヒドロキシル化湿潤剤の１００％原溶液（stock  solution）に基づいている。
【手続補正１６】
【補正対象書類名】明細書
【補正対象項目名】００２４
【補正方法】変更
【補正の内容】
【００２４】
２．キレート剤
本発明のキレート剤は、無機酸化物を溶解する作用をする。本発明によれば、キレート剤は、エチレンジアミン四酢酸（ＥＤＴＡ）または一、二、三、四ナトリウムＥＤＴＡ、一、二、三、四アンモニウム等を含むＥＤＴＡ誘導体のようなキレート化合物である。他のキレート剤は、ニトリロ三酢酸（ＮＴＡ）若しくはＮＴＡ誘導体、またはジエチレントリアミン五酢酸（ＤＴＰＡ）若しくはＤＴＰＡ誘導体を含む。
【手続補正１７】
【補正対象書類名】明細書
【補正対象項目名】００２５
【補正方法】変更
【補正の内容】
【００２５】
本発明によるキレート剤は、組成物の全体重量に対し約２０から約４０重量％、好ましくは約２５から約３５重量％、さらに好ましくは約２９から約３１重量％の量で存在する。キレート剤は、最も好ましくは、組成物の全体重量に対し約３０重量％の量で存在する。
【手続補正１８】
【補正対象書類名】明細書
【補正対象項目名】００２６
【補正方法】変更
【補正の内容】
【００２６】
非芳香族溶剤を本発明の組成物に添加すると、キレート剤の量は修正してもよい。例えば、使用するキレート剤の量は、組成物の全体重量に対し約１から約３０重量％、好ましくは約１５から約２５重量％、さらに好ましくは約１９から約２１重量％に変更する。
【手続補正１９】
【補正対象書類名】明細書
【補正対象項目名】００２７
【補正方法】変更
【補正の内容】
【００２７】
キレート剤の重量％量は、キレート剤の６０％原溶液（stock  solution）に基づいている。
【手続補正２０】
【補正対象書類名】明細書
【補正対象項目名】００３０
【補正方法】変更
【補正の内容】
【００３０】
本発明による表面活性剤は、組成物の全体重量に対し約１から約４５重量％、好ましくは約１５から約３５重量％、さらに好ましくは約２０から約３０重量％の量で存在する。表面活性剤は、最も好ましくは、組成物の全体重量に対し約２５重量％の量で存在する。表面活性剤に対する重量％量は、表面活性剤の１００％原溶液（stock  solution）に基づいている。
【手続補正２１】
【補正対象書類名】明細書
【補正対象項目名】００３１
【補正方法】変更
【補正の内容】
【００３１】
４．クラウンエーテル
本発明のクラウンエーテルは、３５マイクロメータ以下の粒子サイズを有する細粒子と強く結合する。これは、細粒子と複数の角度（multiple  angles）からの負の強電荷で結合することにより達成される。しかしながら、洗浄する対象物がこのサイズの粒子を相当量欠如している場合には、クラウンエーテルを洗浄液から省略してもよい。本発明によれば、クラウンエーテルは、約８から約３０の炭素原子すなわちＣ８−Ｃ３０クラウンエーテル、好ましくは約１０から約２０の炭素原子すなわちＣ１０−Ｃ２０クラウンエーテル、さらに好ましくは約１３から約１９の炭素原子すなわちＣ１３−Ｃ１９クラウンエーテル含む。クラウンエーテルは、最も好ましくはＣ１６クラウンエーテルである。
【手続補正２２】
【補正対象書類名】明細書
【補正対象項目名】００３２
【補正方法】変更
【補正の内容】
【００３２】
本発明によるクラウンエーテルは、存在する場合、組成物の全体重量に対し約０．０１から約２重量％、好ましくは約０．０５から約１．２５重量％、さらに好ましくは約０．５から約１重量％の量で存在する。クラウンエーテルは、最も好ましくは、組成物の全体重量に対し約０．７５重量％の量で存在する。クラウンエーテルに対する重量％量は、クラウンエーテルの１００％原溶液（stock  solution）に基づいている。
【手続補正２３】
【補正対象書類名】明細書
【補正対象項目名】００３３
【補正方法】変更
【補正の内容】
【００３３】
５．非芳香族溶剤
本発明のオプションである非芳香族溶剤は、タービンブレードに焼き付けられた炭化水素材料を軟化させるように作用する。非芳香族溶剤は、疎水性および非反応性（non−reactive）の特徴を有していてもよい。本発明によると、非芳香族溶剤は、１から６の炭素と１から５のエトキシル基（ethoxylation）を有する直鎖または非直鎖アルコール；一、二または三カルボキシル酸の一、二または三エステル；または一、二または三アルキルエステルである。特定の例としては、メチルエステル、エチルエステル、エチルアセテート、メチルラウレート、ジメチルクエン酸、エチルプロピオネート、ラウリルアセテート、メチルグルタメート、ジエトキシル−２−エチルプロピルアルコール、ジエトキシルペンチルアルコール、トリエトキシルペンチルアルコール、およびジエトキシル化イソブチルアルコールを含むが、これらに限定されるものではない。好ましい実施例では、非芳香族溶剤は、ジエトキシル化イソブチルアルコールＣ８Ｈ１９Ｏ２ようなエトキシル化非直鎖アルコール、またはHenkel（登録商標）のメチルラウレートＣＡＳ１１１−８２−０（Emery  ２２７０メチルラウレート）のような有機エステルである。
【手続補正２４】
【補正対象書類名】明細書
【補正対象項目名】００３４
【補正方法】変更
【補正の内容】
【００３４】
本発明による非芳香族溶剤は、存在する場合、組成物の全体重量に対し約１から約２０重量％、好ましくは約５から約１５重量％、さらに好ましくは約９から約１１重量％の量で存在する。非芳香族溶剤は、最も好ましくは、組成物の全体重量に対し約１０重量％の量で存在する。
【手続補正２５】
【補正対象書類名】明細書
【補正対象項目名】００３５
【補正方法】変更
【補正の内容】
【００３５】
６．添加剤
添加剤の添加は、特に限定されないが、ある場合には、洗浄組成物にある添加剤を添加することが望ましい。このような添加剤には、イソプロパノールのような水溶性有機溶剤およびエトキシル化直鎖アルコールのような非シリコンベース泡止め剤を含むが、これらに限定されるものではない。
【手続補正２６】
【補正対象書類名】明細書
【補正対象項目名】００３６
【補正方法】変更
【補正の内容】
【００３６】
洗浄組成物に添加する添加剤の量は、洗浄組成物の意図された用途に依存して変化させてよい。しかしながら、添加剤の全量は、洗浄組成物の全体重量の約５重量％である。特に、水溶性有機溶剤は組成物の全体重量の約３重量％の量を添加することが好ましく、泡止め剤は組成物の全体重量の約２重量％の量を添加することが好ましい。これらの重量％値は、１００％原溶液（stock  solution）に基づいている。
【手続補正２７】
【補正対象書類名】明細書
【補正対象項目名】００３９
【補正方法】変更
【補正の内容】
【００３９】
タービンが完全に準備できると、スタータモータを使用して約２０から２４％の定格速度でクランク（crank）する。技術者は５ガロンバケツの混合液中のサブマージポンプを使用して洗浄液を注入するか、または溶液の加圧容器をクリーナがタービンコンプレッサに向けられるノズルを備える分配マニホルドを通るようにする。タービンコンプレッサは、コンプレッサ全体を介して洗浄液を引き込む。いくらかの溶液はエンジン全体を介して引き込まれるが、大部分の溶液は燃焼器部ドレンから排出される。コンプレッサ部が如何に不潔で汚れているかに依存して、２つの洗浄サイクルを使用することができる。洗浄液が無くなる直前に技術者がスタートモータを停止して、エンジンが停止する際に溶液を注入する。エンジンは１０から１５分間、停止したままにして、次のクランク洗浄サイクルの前に洗浄液を浸透させる。
【手続補正２８】
【補正対象書類名】明細書
【補正対象項目名】００４１
【補正方法】変更
【補正の内容】
【００４１】
２．オンライン洗浄
オンラインタービンコンプレッサ洗浄は、クランク洗浄と異なる。特に、オンラインコンプレッサ洗浄中はタービンは駆動しているが、クランク洗浄中はタービンは単にクランクしているだけである。オンライン洗浄中、洗浄液は非常に小さなオリフィスを介して注入されるので、タービン圧縮機の口部に細かいミストが生じる。ブレードに損傷を起こさないほど滴径は小さい。タービンコンプレッサは液体を圧縮することができず、空気だけを圧縮することができる。理論は、ブレードを完全に包囲して、タービンを介して汚染物を搬出するのに十分な滴があることである。汚染物と洗浄液は、３２００°Ｆで運転される燃焼部を通過する。注入期間は、オリフィスのサイズ、洗浄液の特性、汚染の程度に依存する。
【手続補正２９】
【補正対象書類名】明細書
【補正対象項目名】００４４
【補正方法】変更
【補正の内容】
【００４４】
成分                                                    量（重量％）
プロピレングリコール、ＣＡＳ５７−５５−６
ARCOケミカルコーポレーション                                  ４０％
Sequestrene（登録商標）テトラアンモニウムＥＤＴＡ
BASFコーポレーション                                          ３０％
Poly-Tergent（登録商標）ＳＬ−６２表面活性剤、
ＣＡＳ６８９８７−８１−５
アルコキシル化直鎖アルコール、
BASFコーポレーション                                          １５％
Tween（登録商標）２０（ポリソルベート２０）、
ポリオキシエチレン（２０）、
ソルビタンモノラウレート、ＣＡＳ９００５−６４−５
ICIアメリカインコーポレーテッド                                １０％
イソプロピルアルコール、ＣＡＳ６７−６３−０
エクソン、シェル、ユニオンカーバイドまたはBPケミカルズ          ３％
泡止め乳濁液７３０５、非シリコンベース
アッシュランドケミカルコーポレーション                          ２％  
計  １００％
【手続補正３０】
【補正対象書類名】明細書
【補正対象項目名】００４７
【補正方法】変更
【補正の内容】
【００４７】
成分                                                    量（重量％）
プロピレングリコール、ＣＡＳ５７−５５−６
ARCOケミカルコーポレーション                                ３９．２５％
Sequestrene（登録商標）テトラアンモニウムＥＤＴＡ
BASFコーポレーション                                        ３０％
Poly-Tergent（登録商標）ＳＬ−６２表面活性剤、
ＣＡＳ６８９８７−８１−５
アルコキシル化直鎖アルコール、
BASFコーポレーション                                        １５％
Tween（登録商標）２０（ポリソルベート２０）、
ポリオキシエチレン（２０）、
ソルビタンモノラウレート、ＣＡＳ９００５−６４−５
ICIアメリカインコーポレーテッド                              １０％
イソプロピルアルコール、ＣＡＳ６７−６３−０
エクソン、シェル、ユニオンカーバイドまたはBPケミカルズ        ３％
泡止め乳濁液７３０５、非シリコンベース
アッシュランドケミカルコーポレーション                        ２％
１５−クラウン−５、ＣＡＳ３３１００−２７−５、
クラウンエーテル、
アルファエーサ                                                ０．７５％
計  １００％
【手続補正３１】
【補正対象書類名】明細書
【補正対象項目名】００５０
【補正方法】変更
【補正の内容】
【００５０】
成分                                                    量（重量％）
プロピレングリコール、ＣＡＳ５７−５５−６
ARCOケミカルコーポレーション                                  ４０％
Sequestrene（登録商標）テトラアンモニウムＥＤＴＡ
BASFコーポレーション                                          ２０％
Poly-Tergent（登録商標）ＳＬ−６２表面活性剤、
ＣＡＳ６８９８７−８１−５
アルコキシル化直鎖アルコール、
BASFコーポレーション                                          １５％
Tween（登録商標）２０（ポリソルベート２０）、
ポリオキシエチレン（２０）、
ソルビタンモノラウレート、ＣＡＳ９００５−６４−５
ICIアメリカインコーポレーテッド                                １０％
イソプロピルアルコール、ＣＡＳ６７−６３−０
エクソン、シェル、ユニオンカーバイドまたはBPケミカルズ          ３％
メチルラウレート、ＣＡＳ１１１−８２−０
ヘンケル、Emery２２７０メチルラウレート                        １０％
泡止め乳濁液７３０５、非シリコン基
アッシュランドケミカルコーポレーション                          ２％  
計  １００％
【手続補正３２】
【補正対象書類名】明細書
【補正対象項目名】００５３
【補正方法】変更
【補正の内容】
【００５３】
成分                                                    量（重量％）
プロピレングリコール、ＣＡＳ５７−５５−６
ARCOケミカルコーポレーション                                ３９．２５％
Sequestrene（登録商標）テトラアンモニウムＥＤＴＡ
BASFコーポレーション                                        ２０％
Poly-Tergent（登録商標）ＳＬ−６２表面活性剤、
ＣＡＳ６８９８７−８１−５
アルコキシル化直鎖アルコール、
BASFコーポレーション                                        １５％
Tween（登録商標）２０（ポリソルベート２０）、
ポリオキシエチレン（２０）、
ソルビタンモノラウレート、ＣＡＳ９００５−６４−５
ICIアメリカインコーポレーテッド                              １０％
イソプロピルアルコール、ＣＡＳ６７−６３−０
エクソン、シェル、ユニオンカーバイドまたはBPケミカルズ        ３％
メチルラウレート、ＣＡＳ１１１−８２−０
ヘンケル、Emery２２７０メチルラウレート                      １０％
泡止め乳濁液７３０５、非シリコンベース
アッシュランドケミカルコーポレーション                        ２％
１５−クラウン−５、ＣＡＳ３３１００−２７−５、
クラウンエーテル、
アルファエーサ                                                ０．７５％
計  １００％